【手続補正書】
【提出日】平成17年1月11日(2005.1.11)
【手続補正１】
【補正対象書類名】明細書
【補正対象項目名】全文
【補正方法】変更
【補正の内容】
【書類名】  明細書
【発明の名称】  傘の水滴除去装置
【特許請求の範囲】
【請求項１】
閉じた傘を上方から押し挿し込み且つ引き抜くことができるようにしてなる傘挿入部と、
この傘挿入部を形成し且つ傘の外側に付着した水滴を傘の外側に触れて拭き吸い取るための放射状に設けられ且つ上部から下部に向かって縦長に形成された複数本の拭取り吸水体と、この拭取り吸水体の間に形成された傘のプリーツが入り込み挟まれて該拭取り吸水体の側部に該プリーツが接触して水滴が拭取られるようにするためのプリーツ入り込み部とからなる水滴拭取り部とを備えてなり、
縦長に形成された前記拭取り吸水体に吸収された水は、その重量により該拭取り吸水体の下方に移動して行って該拭取り吸水体の下方から外に出るとともに、該拭取り吸水体の上方は水が下方に引いて吸水可能状態が速やかに形成され、前記傘挿入部に挿し込んだ傘の引き抜き動作においては、吸水可能状態となっている該拭取り吸水体の上方により傘に付着している水滴が拭き吸い取られるようにしてなることを特徴とする傘の水滴除去装置。
【請求項２】
拭取り吸水体が弾性と柔軟性を有する厚さが略１ミリ〜２０ミリ程度のシート状部材からなり、前記拭取り吸水体が非吸水体で柔軟性と弾性力を有する支柱部材に固定されてなることを特徴とする請求項１記載の傘の水滴除去装置。
【請求項３】
拭取り吸水体の下部に集まった水が溢れ出して傘挿入部に押し挿し込まれた傘に付着しないようにするための、前記拭取り吸水体に吸水され下方に集まってくる水を該拭取り吸水体の背部方に案内出すための該拭取り吸水体の一部からなる水案内出し片を該拭取り吸水体の下部に設けてなることを特徴とする請求項１、２いずれか記載の傘の水滴除去装置。
【請求項４】
傘挿入部に押し挿し込まれた傘の先端が当たり該傘の押し込み動作により下方に押し込まれるとともに、前記傘を押し返す付勢力を備えた押し返し付勢手段を有する傘押し返し部を設け、前記傘の引き上げの際にその押し返し付勢力により引き上げるための負担を軽減するようにしてなることを特徴とする請求項１、２、３いずれか記載の傘の水滴除去装置。
【請求項５】
傘挿入部への傘の押し込み動作により下方へ押し移動される移動体と、この移動体の移動動作に連動されて水案内出し片を押さえるようにして該水案内出し片に保水された水を搾り出す水案内出し片押さえ機構とを設けてなることを特徴とする請求項３記載の傘の水滴除去装置。
【請求項６】
傘挿入部の下方に傘の下方が入る狭口挿入部を形成し、この狭口挿入部を形成し且つ傘の下方部に弾性的に押し当たり当接して傘の下方の水滴を拭き吸い取る複数枚の弾性と柔軟性を有する小片拭取り吸水体を縦向きに放射状に設けてなる傘下方水滴拭取り部を設けてなることを特徴とする請求項１〜５いずれか記載の水滴除去装置。
【請求項７】
拭取り吸水体の下方に傘の触れ方を少なくするための凹ませてなる傘よけ部及び該拭取り吸水体の底部を内側から外側に下り勾配に形成された下り傾斜部としたことを特徴とする請求項１〜６いずれか記載の傘の水滴除去装置。
【請求項８】
傘の傘挿入部への押し込み挿し入れ動作で該傘の先端に押されて下部に移動する移動体を設け、拭取り吸水体同士の間に前記移動体に連動して移動するようにしてなる該拭取り吸水体に在る水分を押し搾り出す搾り出し手段を設けてなることを特徴とする請求項１〜７いずれか記載の傘の水滴除去装置。
【請求項９】
閉じた傘を上方から押し挿し込み且つ引き抜くことができるようにしてなり且つ挿し込んだ傘本体の下方側がある程度突き抜ける長さの傘挿入部と、この傘挿入部を形成し且つ傘の外側に付着した水滴を傘の外側に触れて拭き取るための、放射状に設けられ且つ上部から下部に向かって縦長に形成されるとともにその長さが挿し込まれた傘本体の下方側がある程度突き出すように該傘本体よりも短い形態である複数本の拭取り吸水体と、この拭取り吸水体の底部を内側から外側に向かって下り勾配形態に形成された下り傾斜部としたことを特徴とする傘の水滴除去装置。
【請求項１０】
閉じた傘を上方から押し挿し込み且つ引き抜くことができるようにしてなり且つ挿し込んだ傘本体の下方側がある程度突き抜ける長さの傘挿入部と、この傘挿入部を形成し且つ傘の外側に付着した水滴を傘の外側に触れて拭き取るための、放射状に設けられ且つ上部から下部に向かって縦長に形成されるとともにその長さが挿し込まれた傘本体の下方側がある程度突き出すように該傘本体よりも短い形態である複数本の拭取り吸水体と、この拭取り吸水体の間に形成された傘のプリーツが入り込み挟まれて該拭取り吸水体の側部に該プリーツが接触して水滴が拭取られるようにするための放射方向に略同一幅溝形態のプリーツ入り込み部と、前記拭取り吸水体の底部を内側から外側に向かって下り勾配形態に形成された下り傾斜部としたことを特徴とする傘の水滴除去装置。
【請求項１１】
閉じた傘を上方から押し挿し込み且つ引き抜くことができるようにしてなる傘挿入部と、
この傘挿入部を形成し且つ傘の外側に付着した水滴を傘の外側に触れて拭き吸い取るための放射状に設けられ且つ上部から下部に向かって縦長に形成された複数本の拭取り吸水体と、この拭取り吸水体の間に形成された傘のプリーツが入り込み該拭取り吸水体の側部に該プリーツが接触して水滴が拭取られるようにするためのプリーツ入り込み部とからなる水滴拭取り部と、
前記拭取り吸水体の底部を内側から外側に向かって下り勾配形態とし且つ前記プリーツ入り込み部に入った傘のプリーツと該拭取り吸水体の底部外端との間に該プリーツが届かない該プリーツから逃げる部位を形成してなる下り傾斜部とからなることを特徴とする傘の水滴除去装置。
【発明の詳細な説明】
【０００１】
【発明の属する技術分野】
本発明は濡れた傘の水滴を除去する傘の水滴除去装置に関する。
【０００２】
【従来技術】
従来、下方に向かって先萎みの円筒体の内側に、弾性吸水体（密度の高いスポンジ）からなる略三角系の水滴拭取り平板部材を水平かやや上向きにして内側に向けて８枚ほど放射状に配置してなる水滴拭取り部を間隔を空けて７段ほど設け、前記水滴拭取り平板部材の根元側を延長して前記筒体の外側に出して該水滴拭取り平板部材が拭き吸い取った水を該筒体外側に案内し出するための外側片が垂れ下げられた構成の非電動式の傘の水滴除去装置が知られている。
【０００３】
【発明が解決しようとする課題】
前述した従来技術は、最初の１０本程度の傘の使用までは、傘からの水滴の脱水率は３０パーセントであり、傘の先から水滴が落ち始める時間（水滴落下所要時間）が約３０秒ほどであるが、数回の使用で水滴拭取り平板部材に水が溜まってしまい、水滴の吸収率は１８パーセント以下となり、水滴落下所要時間が２秒以下になってしまうという、水滴の拭取り能力が著しく低下し回復することがないといういという欠点があった。
水滴拭取り平板部材への水の溜まり現象は、平板部材が水平であるために保水された水が外側片に移動するのが横移動であるため殆ど排出されず飽和状態になること、濡れ傘の挿し込みが頻繁に行われるほどに急速に吸水力が悪化し逆に傘が濡れる現象まで起きるものであり、これは傘の押し込み動作により水滴拭取り平板部材が下向きになるので留まっている水と拭取り吸い取った傘の水が先端側に集まり、傘の引き上げ動作においては水滴拭取り平板部材は収縮させられ反り起こされて上向きとされるので、保水してある水が搾り出されて傘に逆に付着し傘を濡らしてしまうからである。
また、押し込み挿入した傘を引き抜く場合においては、水滴拭取り平板部材群に傘が挟持されているので抵抗があり、小柄で非弱な女性やお年寄りには引き抜く負担が大きいという欠点があった。
【０００４】
本発明は以上のような従来技術の欠点に鑑み、濡れ傘の水滴拭取り吸水能力の低下しない傘の水滴除去装置を提供するにある。
【０００５】
本発明の前記並びにそのほかの新規な特徴は次の説明を添付図面と照らし合わせて読むと、より完全に明らかになるであろう。
ただし、図面はもっぱら解説のためであって、本発明の技術的範囲を限定するものではない。
【０００６】
【課題を解決するための手段】
上記目的を達成するために本発明は、閉じた傘を上方から押し挿し込み且つ引き抜くことができるようにしてなる傘挿入部と、この傘挿入部を形成し且つ傘の外側に付着した水滴を傘の外側に触れて拭き吸い取るための放射状に設けられ且つ上部から下部に向かって縦長に形成された複数本の拭取り吸水体と、この拭取り吸水体の間に形成された傘のプリーツが入り込み挟まれて該拭取り吸水体の側部に該プリーツが接触して水滴が拭取られるようにするためのプリーツ入り込み部とからなる水滴拭取り部を備えたことにより、縦長に形成された前記拭取り吸水体に吸収された水は、その重量により該拭取り吸水体の下方に移動して行って該拭取り吸水体の下方から外に出るとともに、該拭取り吸水体の上方は水が下方に引いて吸水可能状態が速やかに形成され、前記傘挿入部に挿し込んだ傘の引き抜き動作においては、吸水可能状態となっている該拭取り吸水体の上方により傘に付着している水滴が拭き吸い取られるようにしてなる傘の水滴除去装置を構成している。
【０００７】
【発明の実施の形態】
以下、図面に示す実施の形態により、本発明を詳細に説明する。
【０００８】
図１ないし図４に示す本発明の第１の実施の形態において１は傘の水滴除去装置であって、この傘の水滴除去装置１は、筐体２に円筒状の上方枠と下方の逆円錐筒体からなる支持筒枠３が内設され、この支持筒枠３に閉じた傘を上方から押し挿し込み且つ引き抜くことができるようにしてなる傘挿入部４を有し、この傘挿入部４を形成し且つ傘の外側に付着した水滴を傘の外側に触れて拭き吸い取るための放射状に設けられ且つ上部から下部に向かって縦長に形成された断面が略三角形態の厚さ３ミリの高密度スポンジ部材からなる８本の拭取り吸水体５ａ〜５ｈを、ゴム製部材や合成樹脂製柔軟弾性部材などからなる中空体である支柱部材１２ａ〜１２ｈに密着固定して備え且つこの拭取り吸水体の間に形成された傘のプリーツが入り込み挟まれて該拭取り吸水体５ａ〜５ｈのそれぞれの側部に傘のプリーツが接触して水滴が拭取られるようにするためのプリーツ入り込み部６ａ〜６ｈを有してなる水滴拭取り部７が設けられ、拭取り吸水体５ａ〜５ｈの最下部には拭取り吸水体５ａ〜５ｈの下部に集まった水が溢れ出して、傘挿入部に押し挿し込まれた傘に付着しないようにするための、拭取り吸水体５ａ〜５ｈに吸水され下方に集まってくる水を支持筒枠３の外に案内出すための拭取り吸水体５ａ〜５ｈの一部からなる水案内出し片１３ａ〜１３ｈを支持筒枠３の外側に突き出し垂らすように設け、水滴拭取り部７の下方で傘挿入部４の下方に傘の下部が入る狭口挿入部８を形成し、この狭口挿入部８を形成するとともに傘の下方部に弾性的に押し当たり当接して傘の下方の水滴を拭き吸い取る８枚の弾性と柔軟性を有する板状の小片拭取り吸水体９ａ〜９ｈを放射状に設けてなる傘下方水滴拭取り部１０を設け、低部に収納タンク１１を設けた構成となっている。
【０００９】
拭取り吸水体５ａ〜５ｈに吸収された水は、その重量および拭取り吸水体５ａ〜５ｈの厚みの無さから拭取り吸水体５ａ〜５ｈの下方に速やかに移動して行って拭取り吸水体５ａ〜５ｈの下方から外に出るとともに、拭取り吸水体５ａ〜５ｈの上方は水が下方に引いて吸水可能状態が速やかに形成され、傘挿入部４に挿し込んだ傘の引き抜き動作においては、吸水可能状態となっている拭取り吸水体５ａ〜５ｈの上方により傘に付着している水滴が拭き吸い取られるように機能し、排出された水は着脱式の収納タンク１１に集まり貯蔵される。
拭取り吸水体は内側を中空にして肉薄にしたもの、全体に肉が詰まった棒状のものなど多様な形態のものがある。
支持筒枠は円筒に限らず多角筒や骨組み枠からなるものなど多様な形態があるし、支持筒枠を設けず筐体に拭取り吸水体を直接固定することにより、小型化と低コスト化を実現するのもよい。
【００１０】
拭取り吸水体５ａ〜５ｈの下方には、傘の触れ方を少なくするための凹ませてなる傘よけ部１４を設けている。これは下方に集まってきた水が拭取り吸水体５ａ〜５ｈの保水支持力により３〜４センチの高さの部位から引かなくなるので、この部位に傘が触れて水滴を付着させるのを防ぐための構成部分である。また、拭取り吸水体５ａ〜５ｈの底部を内側から外側へ下り勾配に形成された下り傾斜部２２としている。
【００１１】
従来技術と本実施の形態の比較結果を述べる。
比較条件は、
１．傘の種類：ナイロン６０センチ。
２．濡れ条件：傘を広げてシャワーで全体に水をかける。
３．下に向けて５秒間放置する。
４．挿入条件：上下に３回移動させる。
算出方法：
１．乾燥重量                        Ａ
２．水をかけた重量                  Ｂ
３．付着した水の量                  Ｂ−Ａ＝Ｃ
４．使用後の重量                    Ｄ
５．除去した水の量                  Ｂ−Ｄ＝Ｅ
６．脱水率                          Ｅ／Ｃ＝Ｆ×１００
７．水滴落ち始め時間：拭取り後の傘の先端から水が垂れ落ちるまでの時間。
従来技術
脱水率が最初は３８．７パーセントであるが５回ほどの傘の挿し込みで１８パーセントに急激に低下して、脱水率が回復することがなく、脱水率１８パーセントの状態での水滴落ち始め時間は０秒〜２秒である。
本実施の形態
従来技術と同じスポンジ部材である拭取り吸水体を使用したもので、２５回の使用の脱水率は４２．９パーセント〜６４．０パーセント（平均４９．１パーセント）という水準を維持しつづけ、脱水率が低下することがなく、水滴落ち始め時間の平均は２２．５秒である。
【００１２】
下方に設けた小片拭取り吸水体９ａ〜９ｈの効果は大きく、該９ａ〜９ｈを設けない構成とした場合には、平均脱水率４６．９パーセント（３５パーセント〜５８パーセント：２５回の結果）と脱水率は低下しないが、水滴落ち始め時間は５．８秒と低い状態となっている。小片拭取り吸水体９ａ〜９ｈの底部を内側から外側へ下り勾配に形成された下り傾斜部２２としている。
傘下方は最も水が溜まっている部位であり、傘下方を挟持して水分を吸い取るようにしたことにより、水滴落ち始め時間の平均は２２．５秒に向上させている。
【００１３】
【発明の異なる実施の形態】
次に、図５ないし図１７に示す本発明の異なる実施の形態につき説明する。これらの発明の異なる実施の形態の説明に当たって、前記本発明の第１の実施の形態と同一構成部分は同一の符号を付して重複する説明を省略する。
【００１４】
図５に示す本発明の第２の実施の形態において、前記本発明の第１の実施の形態と主に異なる点は、下部筒部１７内に圧縮コイルスプリングからなる押し返し付勢手段２５と、該２５の上部に設けた傘の先端を受ける傘受け部２６とからなる傘押し返し部２７を設けた傘の水滴除去装置２８とした点にある。
傘挿入部４に押し挿し込まれた傘の先端が傘受け部２６に当たり該傘の押し込み動作により下方に押し込まれ押し返し付勢手段２５を収縮させられるとともに、傘を引き抜く際には押し返し付勢手段２５の反発付勢力により傘は押し上げられる力が働くので、非弱者でも容易に傘を引き抜くことができる。
【００１５】
図６に示す本発明の第３の実施の形態において、前記本発明の第１の実施の形態と主に異なる点は、傘の押し込み挿入動作を利用して水案内出し片１３ａ〜１３ｈと水案内出し片１５ａ〜１５ｈを押し搾り水を搾り出す水案内出し片押さえ機構３１を設けた傘除去装置３０とした点にある。
水案内出し片押さえ機構３１は、移動体である傘押し返し部２７の傘受け部２６に該２６と一体となって昇降されるＬ形状のアーム３２ａ〜３２ｄが四方に設けられ、アーム３２ａ〜３２ｄの先端にはフリーローラからなる昇降ローラ３３が設けられ、この昇降ローラ３３の内側にはテーパースロープを有する該３３の昇降動作により押されて内側外側に水平移動する、押し搾り部３７、３８を有する水案内出し片押し絞り体３５ａ〜３５ｄが水平移動支持シャフト（図示せず）に支持されて設けられ、支持筒枠３と水案内出し片１３ａ〜１３ｈの間には外側の水案内出し片に当接する四角形平面を形成するためのアダプター３９が設けられ、支持筒枠３と水案内出し片１５ａ〜１５ｈの間には外側の水案内出し片に当接する四角形平面を形成するためのアダプター４０が設けられ、支持筒枠３と水案内出し片押し絞り体３５ａ〜３５ｄの間には該３５ａ〜３５ｄを外側に押し付勢しているＵ字形の板バネ４１がそれぞれ設けられた構成となっている。
傘により押し込まれ下方に移動する傘受け部２６に連動して、昇降ローラ３３が下降移動して該３３と当接するテーパースロープとの作用により水案内出し片押し絞り体３５ａ〜３５ｄを内側に水平移動して、水案内出し片１３ａ〜１３ｈ、水案内出し片１５ａ〜１５ｈを押し潰して含んだ水を搾り出し、拭取り吸水体５ａ〜５ｈおよび小片拭取り吸水体９ａ〜９ｈの下方に留まる水の排出を大きく促進し、それらの吸水能力を高めて、傘の水が最も溜まる部位である下方の拭取り吸水能力を大きく引き上げるものである。
【００１６】
図７に示す本発明の第４の実施の形態において、前記本発明の第１の実施の形態と主に異なる点は、傘の押し込み挿入動作を利用して水案内出し片１３ａ〜１３ｈと水案内出し片１５ａ〜１５ｈとこれらの水案内出し片の支持筒枠３側の片出し口（図示せず）あたりの水分を負圧により吸出す吸出し機構４４を設けた傘の水滴除去装置４３のとした点にある。
吸出し機構４４は、水案内出し片１３ａ〜１３ｈおよび水案内出し片１５ａ〜１５ｈの部位を囲い密閉すように負圧形成筐体４４が設けられ、支持筒枠３の隙間は塞がれ、負圧形成筐体本体４５の内側には円形形態のシリンダー部４６が設けられ、このシリンダー部４６内には円形リング形態のシリンダーヘッド４７が傘受け部２６から延びたアームあるいは円筒形態のシリンダーヘッド支持体４８に固定されて、傘受け部２６の昇降に連動して昇降するように設けられ、負圧形成筐体本体４５の底部外側には弁４９が適宜な数設けられている。
傘に押されて傘受け部２６が下降移動するとシリンダーヘッド４７が下降するとともに負圧により弁４９が塞がり、負圧形成筐体本体４５内が負圧となり、空気流通口となっている水案内出し片１３ａ〜１３ｈおよび水案内出し片１５ａ〜１５ｈの出口部位および水出し片に含まれる水が吸い出される。
【００１７】
図８に示す本発明の第５の実施の形態において、前記本発明の第１の実施の形態と主に異なる点は、移動体である傘受け部２６には該２６に固定されて共に連動して垂直昇降する上方向きの押し搾り部５２ａ〜５２ｄが固定され、この押し搾り部５２ａ〜５２ｄの内側上部には昇降動作において水案内出し片１３ａ〜１３ｈを押し搾りフリーの搾りローラ５３ａ〜５３ｄが設けられるとともに、下方には水案内出し片１５ａ〜１５ｈを押し搾りフリーの搾りローラ５４ａ〜５４ｄが設けられ、傘受け部２６と押し搾り部５２ａ〜５２ｄからなる昇降体５５は固定梁５６に吊り支持された引張りコイルバネ５７に付勢吊り支持されている傘の水滴除去装置５１とした点にある。
傘の挿しこみ動作により昇降体５５が下降して水案内出し片１３ａ〜１３ｈおよび水案内出し片１５ａ〜１５ｈの水が搾りだされ、傘を引き抜く動作においては引張りコイルバネ５７の引き上げ付勢力により、傘には押し上げ付勢力が働き、人が感じる引き抜き抵抗を少なくする。
【００１８】
図９ないし図１１に示す本発明の第６の実施の形態において、前記本発明の第１の実施の形態と主に異なる点は、拭取り吸水体５ａ〜５ｈおよび小片拭取り吸水体９ａ〜９ｈの表側に数センチおきに断面が上向き三角形形態の突起帯５８が設けられ、拭取り吸水体５ａ〜５ｈ内の水を中空部１６に出すための排水孔５９が支柱部材１２ａ〜１２ｈに設けられ、中空部１６に集まる水を外に出すための排水孔６１が中空部の最下部の支持筒枠３に設けられた傘の水滴除去装置６２とした点にある。
突起帯５８の傘のプリーツが触れて水滴は吸収されるとともに、吸水された水は拭取り吸水体５ａ〜５ｈの本体に即座に移動する。これにより、傘のプリーツは絶えず吸水能力のある突起帯５８に触れて水滴が大変効率よく除去できるという作用効果を得ることができる。
また、拭取り吸水体５ａ〜５ｈに吸水された水の少なくない部分は排水孔５９から下降途中で吸水体５ａ〜５ｈ外に排出されるので、吸水体５ａ〜５ｈに水が溜まりにくくするという作用効果を得ることができる。また、図示していないが排水孔５９の前部に水を呼び入れるための小突起片を設け吸水体５ａ〜５ｈはこの突起片が嵌る溝を設けるのがより効果的である。
また、吸出し機構４４を設けた構成とすることにより、中空部１６を負圧状態にして排水孔５９から拭取り吸水体５ａ〜５ｈの水を吸出すことを可能とする。この際、排水孔５９は水の溜まる下方に設け上方には設けないのが、吸水効率を高める点でも効果的である。
【００１９】
図１２に示す本発明の第７の実施の形態において、前記本発明の第１の実施の形態と主に異なる点は、吸水体５ａ〜５ｈに切込みによるベロ片６０を適宜な数設け、支柱部材１２ａ〜１２ｈにベロ片６０が中空部１６内に突出させるための排水口５９を設けた傘の水滴除去装置とした点にある。
また、吸出し機構４４を設けた構成とすることにより、中空部１６を負圧状態にしてベロ片６０および拭取り吸水体５ａ〜５ｈの水を吸出すことを可能とする。この際、ベロ片６０は水の溜まる下方に設け上方には設けないのが、吸水効率を高める点でも効果的である。
【００２０】
図１３および図１４に示す本発明の第８の実施の形態において、前記本発明の第１の実施の形態と主に異なる点は、支持筒枠３の内側に上部と背部を開放して前方に向かって狭くなる形態で低部の背部開放側に排水口６３を有してなる支持駒体６４、この支持駒体６４の開放部位を除いて外側を覆うように設けられた底部を背部側に延長して形成した水案内出し片６５を有する柔弾性吸水部材からなる吸排水体６６、支持駒体６４と吸排水体６６とからなる拭取り吸排水駒体６７を、水案内出し片６５を支持筒枠３の外に出して４段縦に並べ且つ下から一段目を排水口６３を有しない下段拭取り吸排水駒体６８とした縦並び拭取り吸水体部を形成し、この縦並び拭取り吸水体部６９ａ〜６９ｈの８形態を放射状に設けた水滴拭取り部７０を形成し、この水滴拭取り部７０の下部に二段構成の傘下方水滴拭取り部７１を設け、縦並び拭く吸水体部６９ａ〜６９ｈの最上段に急傾斜に固定され傘挿入部4側に全周を少し突出した上段拭取り吸水部材７２を設けてなる傘の水滴除去装置７３とした点にある。
【００２１】
図１５に示す本発明の第９の実施の形態において、前記本発明の第１の実施の形態と主に異なる点は、第5の実施の形態の昇降体５５を設け、下部筒部17に設けた押し返し付勢手段２５の付勢力により傘に押し下げられた場合には自動的に押し上げられるようにした傘の水滴除去装置７５とした点にある。
【００２２】
図１６および図１７に示す本発明の第１０の実施の形態において、前記本発明の第１の実施の形態と主に異なる点は、プリーツ入り込み部６ａ〜６ｈに、下降移動では拭取り吸水体５ａ〜５ｈの対応する側部を転がり押して水を搾り出すとともに下降移動では吸水体５ａ〜５ｈを押さえない搾り手段７ａ〜７７ｈを設け、この搾り手段７ａ〜７７ｈが固定されて傘挿入部４から下部筒部１７を移動し下部の押し返し付勢手段２５により押し上げ付勢されてなる移動体７８を設け、この移動体７８の上部に傘の下方部位の水滴を吸い取るための８枚の吸水板を放射状に立設した傘下方水滴拭取り部７９を設けた傘の水滴除去措置８０とした点にある。
搾り手段７ａ〜７７ｈは拭取り吸水体５ａ〜５ｈの下方５〜７センチ程度の部位を移動するようにしてある。
傘下方水滴拭取り部７９は傘が差し込まれると拭取り吸水体５ａ〜５ｈに接触して、含んだ水を拭取り吸水体５ａ〜５ｈに移すようになっている。
【００２３】
図１７において搾り手段７ａ〜７７ｈは、移動体７８に固定されたローラ支持部８１の下部に回動体８２が傾いた状態で回動自在に軸支されて設けられ、その先端に搾りローラ８３、８４がフリーに設けられていて、回動体８２は軸支部位から下方を長手にし該軸支部位から上方を短手にして、短手側に重い搾りローラ８３を設け長手側に軽い搾りローラ８４を設け、搾りローラ８３、８４は常に拭取り吸水体５ａ〜５ｈに接触していて、搾りローラ８４は抵抗回転し且つ表面は滑り止め処理の凸凹構造の構成となっている。
下降動作においては、傾き、梃子の原理、搾りローラ８４の抵抗回転による抵抗および無抵抗回転で重い搾りローラ８３の重さにより、長手方向が上げられるように右回動して拭取り吸水体５ａ〜５ｈに押さえつけてその水を搾り出すように機能し、上昇動作においてはやはり梃子の原理により右回動して拭取り吸水体５ａ〜５ｈに接触する程度となる。
【００２４】
図１８に示す本発明の第１１の実施の形態において、前記本発明の第１の実施の形態と主に異なる点は、前記した実施の形態８と同じ構成において、吸排水体６６の水案内出し片６５を支持駒体６４の中に入れその端部が接触するようにし、水案内出し片１３ａ〜１３ｈおよび１５ａ〜１５ｈの下端部に親水性の水呼び板８６を設けた傘の水滴除去装置８７とした点にある。
支持駒体６４に流れだした水は下方に行かずそのまま支持筒枠３の外に流れ出すように、支持駒体６４ごとに対応した排出孔６１を支持筒枠３の側部に設けるのが良い。
水案内だし片はその先端に溜まる水は表面張力により、流れ出さないようにする力が作用するが、その先端を親水性のものに接触させることにより、呼び込み流れやすくすることができ、排水能力の向上による傘の脱水能力を高めることができる。
【００２５】
【発明の効果】
以上の説明から明らかなように、本発明にあっては次に列挙する効果が得られる。
【００２６】
（１）拭取り吸収体が上部から下部に縦長に形成されているので、拭取り吸水体に吸収された水は、その重量により拭取り吸水体の下方に移動して行って拭取り吸水体の下方から外に出るとともに、拭取り吸水体の上方は水が下方に引いて吸水可能状態が速やかに形成され、傘挿入部に挿し込んだ傘の引き抜き動作においては、吸水可能状態となっている拭取り吸水体の上方により傘に付着している水滴が拭き吸い取られるので、濡れ傘の水滴拭取り吸水能力の低下しない傘の水滴除去装置を実現している。
【００２７】
（２）請求項２記載の発明は前記（１）と同様な効果が得られるとともに、拭取り吸水体を１ミリ〜２０ミリ程度の厚さにしたたことにより、降下する水の水路が狭いことにより保水性能力が著しく低下する構造となり、吸水された水は溜まることなく速やかにその自重により降下移動して行くと言う効率的な吸水した水の降下排出機能を実現すると言う降下を得ることができる。
第１の実施の形態の試験データにおいて、従来技術のもので脱水率が最初は３８．７パーセントであるが５回ほどの傘の挿し込みで１８パーセントに急激に低下して、脱水率が回復することがなく、脱水率１８パーセントの状態での水滴落ち始め時間は０秒〜２秒であるのに対して、最もシンプルな構成の実施の形態１に示した水滴除去装置においては、４２．９パーセント〜６４．０パーセント（平均４９．１パーセント）という水滴除去能力を低下させることの無く且つ水滴落ち始め時間の平均は２２．５秒の装置を実現している。
【００２８】
（３）請求項３記載の発明は前記（１）および（２）と同様な効果が得られるとともに、拭取り吸水体に吸水され下方に集まってくる水を拭取り吸水体の背部方に案内出すための拭取り吸水体の一部からなる水案内出し片を設けた構成であるので、下降し集まってくる水は後方に排出されて行くので、下方の内側に水が溢れ出すのを抑制して傘に水滴が付着し難いようにするとともに、拭取り吸収体全体が飽和状態となることはなくその上方に常に水の引いた水を吸水できる状態にできるという効果を得ることができる。
【００２９】
（４）請求項４記載の発明は前記（１）ないし（３）と同様な効果が得られるとともに、押し込み挿し込んだ傘は傘押し返し部の押し返し付勢力により上方に押し返されるので、非弱な人でも容易に傘を引き抜くことができるという効果を得ることができる。
【００３０】
（５）請求項５記載の発明は前記（３）と同様な効果が得られるとともに、傘の押し込み挿入ごとに水案内出し片が水案内だし片押さえ手段により押さえられて含んだ水が搾り出されるので、水案内出し片への水の移動がより速やかにより大量に行われる高効率性を実現するという効果を得ることができる。
特に、拭取り吸水体の下方の排水が効率化されるので保水量が少なくでき、引き上げるときの傘への水滴の付着量を大幅に軽減することができ、傘からの水滴の脱水率を高めることが出来るという効果をえることができる。
【００３１】
（６）請求項６記載の発明は前記（１）ないし（５）と同様な効果が得られるとともに、傘の下方の水滴を拭き吸い取る複数枚の弾性と柔軟性を有する小片拭取り吸水体を縦向きに放射状に設けてなる傘下方水滴拭取り部を設けてなるものであるので、第１の実施の形態の試験データに示すように、傘下方水滴拭取り部が無い装置では水滴落ち始め時間は５．８秒、備えたもので水滴落ち始め時間の平均は２２．５秒に示されるように、大な改善を実現するという効果を得ることができる。
【００３２】
（７）請求項７記載の発明は前記（１）ないし（６）と同様な効果が得られるとともに、拭取り吸水体の下方に傘の触れ方を少なくするための凹ませてなる傘よけ部を形成し、拭取り吸水体の底部を下り勾配に形成された下り傾斜部としたので、傘がそこで水滴を付着させるのを防ぐという効果を得ることができる。
【００３３】
（８）請求項８記載の発明は前記（１）ないし（７）と同様な効果が得られるとともに、拭取り吸水体同士の間に前記移動体に連動して移動するようにしてなる該拭取り吸水体に在る水分を押し搾り出す搾り出し手段を設けてなるものであるので、絶えず拭取り吸水体を高い吸水可能状態としておくことができ、何回使用しても安定した高い脱水能力を発揮し続けることができるという効果を得ることができる。
【図面の簡単な説明】
【図１】本発明の第１の実施の形態を示す中央縦切断端面図。
【図２】本発明の第１の実施の形態の傘を押し込み挿した状態を示す中央縦切断端面図。
【図３】Ａ−Ａ線切断端面図。
【図４】Ｂ−Ｂ線切断端面図。
【図５】本発明の第２の実施の形態の構造図。
【図６】本発明の第３の実施の形態の構造図。
【図７】本発明の第４の実施の形態の構造図。
【図８】本発明の第５の実施の形態の構造図。
【図９】本発明の第６の実施の形態の部分切断端面図。
【図１０】Ｃ−Ｃ線切断端面図。
【図１１】Ｄ−Ｄ線切断端面図。
【図１２】本発明の第７の実施の形態の構造図。
【図１３】本発明の第８の実施の形態の吸水駒体の斜視図。
【図１４】本発明の第８の実施の形態の構造図。
【図１５】本発明の第９の実施の形態の構造図。
【図１６】本発明の第１０の実施の形態の構造図。
【図１７】本発明の第１０の実施の形態の搾り出しローラ部の構造図。
【図１８】本発明の第１１の実施の形態の構造図。
【符号の説明】
１：水滴除去装置、            ２：筐体、
３：支持筒枠、                ４：傘挿入部、
５ａ〜５ｈ：拭取り吸水体、    ６ａ〜６ｈ：プリーツ入り込み部、
７：水滴拭取り部、            ８：狭口挿入部、
９ａ〜９ｈ：小片拭取り吸水体、
１０：傘下方水滴拭取り部、    １１：収納タンク、
１２ａ〜１２ｈ：支柱部材、    １３ａ〜１３ｈ：水案内出し片、
１４：傘よけ部、              １５ａ〜１５ｈ：水案内出し片、
１６：中空部、                １７：下部筒部、
１８ａ〜１８ｈ：蓋拭取り吸水体、
１９：傘、                    ２０：プリーツ、
２１：傘先端部、              ２２：下り傾斜部
２５：押し返し付勢手段、      ２６：傘受け部、
２７：傘押し返し部、          ２８：傘の水滴除去装置、
３０：傘除去装置、            ３１：水案内出し片押さえ機構、
３２ａ〜３２ｄ：アーム、      ３３：昇降ローラ、
３５ａ〜３５ｄ：水案内出し片押し絞り体、
３６：水平移動支持シャフト、  ３７：押し搾り部、
３８：押し搾り部、            ３９：アダプター、
４０：アダプター、            ４３：傘の水滴除去装置、
４４：吸出し機構、            ４５：負圧形成筐体本体、
４６：シリンダー部、          ４７：シリンダーヘッド、
４８シリンダーヘッド支持体、
４９：弁、                    ５０：孔付支持板、
５１：傘の水滴除去装置、      ５２ａ〜５２ｄ：押し搾り部、
５３ａ〜５３ｄ：搾りローラ、  ５４ａ〜５４ｄ：搾りローラ、
５５：昇降体、                ５６：固定梁、
５７：引張りコイルバネ、      ５８：突起帯、
５９：排水孔、                ６０：ベロ片、
６１：排水口、                ６２：傘の水滴除去装置、
６３：排水口、                ６４：支持駒体、
６５：水案内出し片、          ６６：吸排水体、
６７：拭取り吸排水駒体、      ６８：下段拭取り吸排水駒体、
６９ａ〜６９ｈ：縦並び拭く吸水体部、
７０：水滴拭取り部、          ７１：傘下方水滴拭取り部、
７２：上段拭取り吸水部材、    ７３：傘の水滴除去装置、
７５：傘の水滴除去装置、      ７７：搾り手段、
７８：移動、                  ７９：傘下方水滴拭取り部、
８０：傘の水滴除去措置、      ８１：ローラ支持部、
８２：回動体、                ８３：搾りローラ、
８４：搾りローラ、            ８６：水呼び板、
８７：傘の水滴除去装置。